(57)【特許請求の範囲】
【請求項１】
ケーシング（２）の下部（２ｂ）に吹出口（７）を備えた空気調和機の室内機（１，１Ａ）であって、
この空気調和機の運転時に上記吹出口（７）から室内（９０）へ向かって吹き出される空気の向きを調整するように、ケーシング（２）の前面パネル（１２，１２Ａ）を上記吹出口（７）に対応する位置（Ｑ2）まで可動で、かつその位置（Ｑ2）で所定の姿勢に保持されるように設けたことを特徴とする空気調和機の室内機。
【請求項２】
請求項１に記載の空気調和機の室内機（１，１Ａ）において、
上記吹出口（７）を水平に通る第１中心軸（１４）の周りに回動自在に支持された水平羽根（１１）を備え、
上記前面パネル（１２，１２Ａ）は、この空気調和機の運転時に上記水平羽根（１１）と連続する位置（Ｑ2）に配置されるように、上記ケーシング（２）の下部（２ｂ）または下方を水平に通る第２中心軸（１６）の周りに回動自在に支持されていることを特徴とする空気調和機の室内機。
【請求項３】
請求項１または２に記載の空気調和機の室内機（１，１Ａ）において、
運転停止時には、上記前面パネル（１２，１２Ａ）はケーシング（２）の前面側を塞ぐ位置（Ｑ0）に配置され、
上記吹出口（７）を水平に通る第１中心軸（１４）の周りに回動自在に支持された水平羽根（１１）は、上記第１中心軸（１４）の周りに上記吹出口（７）を塞ぐ角度（Ｐ0）に配置されることを特徴とする空気調和機の室内機。
【請求項４】
請求項１、２または３に記載の空気調和機の室内機（１Ａ）において、
上記前面パネル（１２Ａ）は中空の樹脂からなることを特徴とする空気調和機の室内機。
【請求項５】
請求項１乃至４のいずれか一つに記載の空気調和機の室内機（１，１Ａ）において、
上記前面パネル（１２，１２Ａ）を上記ケーシング（２）の下部（２ｂ）または下方を水平に通る第２中心軸（１６）の周りに回転させるための駆動手段（２２）と、
上記前面パネル（１２，１２Ａ）の第２中心軸（１６）の周りの角度がこの空気調和機の運転状態に応じた角度になるように、上記駆動手段（２２）を制御する制御手段（２０）を備えたことを特徴とする空気調和機の室内機。
【発明の詳細な説明】
【０００１】
【発明の属する技術分野】
この発明は空気調和機の室内機に関し、より詳しくは、ケーシングの下部に室内に向けて空気を吹き出すための吹出口を備えた室内機に関する。なお、室内機は室内ユニットとも呼ばれる。
【０００２】
【従来の技術および発明が解決しようとする課題】
壁掛型の空気調和機の室内機は、一般に室内の壁面上部に取り付けられるので、居住空間である斜め下方へ向けて調整空気を吹き出せるように、ケーシングの下部に水平方向に細長く延びる吹出口が形成され、この吹出口に水平に延びる羽根（水平羽根）が設けられている。この水平羽根によって、空気調和機の暖房運転時には空気が斜め下方から鉛直下方へ吹き出されるが、冷房運転時には略水平方向に吹き出される。
【０００３】
しかしながら、従来の空気調和機の室内機では、冷房運転時に、吹き出す空気の流れの中心をせいぜい水平方向へ向けられるにすぎず、空気の流れが斜め下方へ或る程度広がることは避けられなかった。そして、冷気に直接当たることは、居住者にとって必ずしも心地よいとは限らず、特に、睡眠中にあっては寝冷えの原因にもなる。
【０００４】
そこで、この発明の課題は、空気を斜め上方へ吹き出すことができる空気調和機の室内機を提供することにある。特に、この発明の課題は、単に斜め上方に吹き出せるようにするだけでなく、吹出口の風を斜め上方に導くのに適した羽根の形状や羽根配置を備えた空気調和機を提供することにある。
【０００５】
また、壁掛型の空気調和機の室内機としては、ケーシングの下部に水平方向に細長く延びる吹出口と、この吹出口を水平に通る中心軸の周りに回動自在に支持された水平羽根を備えたものが多い。空気調和機の運転時には、水平羽根は、上記中心軸の周りに吹出口を開く角度に配置されて、吹出口から室内へ向かって吹き出される空気の向き（風向）を調整する。空気調和機の運転停止時には、水平羽根は、上記中心軸の周りに吹出口を塞ぐ角度に配置されて、室内機の美観を向上させる。
【０００６】
ここで、美観を損なわないようにするために、水平羽根のサイズは吹出口のサイズと略同じに設定されるため、水平羽根のサイズは比較的小さく制限される。この結果、従来の空気調和機の室内機は風向調整能力が乏しいという問題がある。例えば、冷房運転時は、吹出口から吹き出される空気は上方又は水平方向へ向けられるべきであるが、従来の空気調和機の室内機では吹出口から吹き出される空気が下方へ向かって流れて、居住者がドラフト感を受けるという問題がある。
【０００７】
そこで、この発明の課題は、運転停止時の美観を維持しながら、運転時の風向調整能力を高めることができる空気調和機の室内機を提供することにある。
【０００８】
また、壁掛型の空気調和機の室内機としては、ケーシングと、このケーシング内に配置されたファンと、ケーシングに設けられ、ファンからの空気を吹き出す吹出口と、この吹出口に回動自在に設けられたメイン水平フラップと、吹出口に回動自在に設けられ、メイン水平フラップよりも小さな補助水平フラップとを備えたものが知られている。そして、メイン水平フラップの外方側表面積と補助水平フラップの外方側表面積とを合わせた面積を、吹出口の開口面積に一致させて、運転停止時、メイン水平フラップと補助水平フラップとで吹出口を全閉するようにしている。このように、運転停止時において、メイン水平フラップおよび補助水平フラップが吹出口を塞ぐので、美観が向上する。
【０００９】
この空気調和機の室内機では、運転時は、メイン水平フラップおよび補助水平フラップを回動させて吹出口を開き、吹出口から吹き出す空気の風向をメイン水平フラップ,補助水平フラップで調節している。しかしながら、上記メイン水平フラップ,補助水平フラップでは風向調節能力が不充分であるという問題がある。例えば、上記メイン水平フラップ,補助水平フラップの風向調節では、吹出口から空気を斜め上方に向けて吹き出させることができない。
【００１０】
そこで、本発明の課題は、空気調和機の室内機の風向調節能力を向上させることにある。
【００１１】
【課題を解決するための手段】
上記課題を解決するため、請求項１に記載の空気調和機の室内機は、ケーシングの下部に吹出口を備えた空気調和機の室内機であって、この空気調和機の運転時に上記吹出口から室内へ向かって吹き出される空気の向きを調整するように、ケーシングの前面パネルを上記吹出口に対応する位置まで可動で、かつその位置で所定の姿勢に保持されるように設けたことを特徴とする。
【００１２】
この請求項１の空気調和機の室内機では、ケーシングの前面パネルを上記吹出口に対応する位置まで可動で、かつその位置で所定の姿勢に保持されるように設けている。したがって、上記吹出口に対応する位置まで移動され、その位置で所定の姿勢に保持された前面パネルによって、この空気調和機の運転時に上記吹出口から室内へ向かって吹き出される空気の向きが調整され得る。前面パネルのサイズは、吹出口に設けられた水平羽根のサイズに比して制限が緩く、ケーシングの前面側吸込口のサイズと実質的に同じに設定され得る。したがって、前面パネルのサイズをそのように比較的大きく設定することによって、運転時の風向調整能力を高めることができる。また、ケーシングの前面側が開かれるので、吸込み面積を実質的に大きくすることができる。また、この空気調和機の運転停止時には、前面パネルはケーシングの前面側吸込口を塞ぐ本来の位置に戻される。したがって、空気調和機の運転停止時の美観を維持することができる。
【００１３】
請求項２に記載の空気調和機の室内機は、請求項１に記載の空気調和機の室内機において、上記吹出口を水平に通る第１中心軸の周りに回動自在に支持された水平羽根を備え、上記前面パネルは、この空気調和機の運転時に上記水平羽根と連続する位置に配置されるように、上記ケーシングの下部または下方を水平に通る第２中心軸の周りに回動自在に支持されていることを特徴とする。
【００１４】
この請求項２の空気調和機の室内機では、上記前面パネルは、上記ケーシングの下部または下方を水平に通る第２中心軸の周りに回動自在に支持されている。この空気調和機の運転時には、水平羽根を第１中心軸の周りに吹出口を開く角度に配置するとともに、上記前面パネルを第２中心軸の周りに回転させて上記水平羽根と連続する位置に配置することによって、吹出口の前方に実質的にサイズが大きい風向調整用のパネルが構成される。したがって、運転時の風向調整能力をさらに高めることができる。また、室内機のケーシング内で発生した騒音が居住者へ直接達するのを有効に防ぐことができる。
【００１５】
請求項３に記載の空気調和機の室内機は、請求項１または２に記載の空気調和機の室内機において、運転停止時には、上記前面パネルはケーシングの前面側を塞ぐ位置に配置され、上記吹出口を水平に通る第１中心軸の周りに回動自在に支持された水平羽根は、上記第１中心軸の周りに上記吹出口を塞ぐ角度に配置されることを特徴とする。
【００１６】
この請求項３の空気調和機の室内機では、この空気調和機の運転停止時には、前面パネルはケーシングの前面側吸込口を塞ぐ本来の位置に配置され、水平羽根は第１中心軸の周りに吹出口を塞ぐ角度に配置される。したがって、空気調和機の運転停止時の美観を維持することができる。また、ケーシングが密閉されるので、ケーシング内に空気よりも重いガスを充填して行う抗菌、防カビ処理が容易になる。
【００１７】
請求項４に記載の空気調和機の室内機は、請求項１、２または３に記載の空気調和機の室内機において、上記前面パネルは中空の樹脂からなることを特徴とする。
【００１８】
この請求項４の空気調和機の室内機では、上記前面パネルは中空の樹脂からなるので、軽く構成される。したがって、上記前面パネルをケーシングの前面側吸込口を塞ぐ位置と上記吹出口に対応する位置との間で移動させるときに、駆動手段の駆動力（トルク）が小さくて済む。また、上記前面パネルは中空の樹脂からなるので、前面パネルの両面間の断熱性が高いものとなる。したがって、例えば冷房運転時に上記前面パネルが上記吹出口に対応する位置に略水平の姿勢で保持されたときに、上記吹出口から吹き出された空気によって上記前面パネルの上面が冷却されたとしても、上記前面パネルの下面に結露が生じることがない。
【００１９】
請求項５に記載の空気調和機の室内機は、請求項１乃至４のいずれか一つに記載の空気調和機の室内機において、上記前面パネルを上記ケーシングの下部または下方を水平に通る第２中心軸の周りに回転させるための駆動手段と、上記前面パネルの第２中心軸の周りの角度がこの空気調和機の運転状態に応じた角度になるように、上記駆動手段を制御する制御手段を備えたことを特徴とする。
【００２０】
この請求項５の空気調和機の室内機では、制御手段が駆動手段を制御することによって、上記前面パネルの第２中心軸の周りの角度がこの空気調和機の運転状態に応じた角度に自動的に設定される。
【００２１】
【発明の実施の形態】
以下、この発明の空気調和機の室内機を図示の実施の形態により詳細に説明する。
【００２２】
（第１実施形態）
図１は第１実施形態の壁掛型の室内機１の縦断面を示している。この室内機１は、ケーシング２内に、図１の紙面に垂直な方向に延びる略円筒状のクロスフローファン３と、このクロスフローファン３を取り囲むように三つの部分４ａ，４ｂ，４ｃに折り曲げられた熱交換器４を収容している。なお、図１において左側が前方、右側が後方に相当する。
【００２３】
ケーシング２は、上部２ａ、前部２ｃにそれぞれ室内空気を吸い込むための上面グリル５、吸込口６を備えるとともに、下部２ｂに熱交換後の空気を吹き出すための吹出口７を備えている。ケーシング２の後部は背板２ｄによって閉じられている。上面グリル５は格子状に形成され、その格子の隙間によって常に開かれている。吸込口６は、吸込み面積を実質的に大きくするために、ケーシング２の前面の大部分を占めている。吹出口７は、ケーシング２の下部を水平方向に細長く延びている。これらの吸込口６、吹出口７は、運転停止状態ではそれぞれ対応するサイズの前面パネル１２、水平羽根１１によって閉じられている。なお、運転停止状態における前面パネル１２、水平羽根１１の位置をそれぞれ符号Ｑ0，Ｐ0で表している。
【００２４】
水平羽根１１は、従来例で述べたのと同様に、吹出口７を水平に通る第１中心軸１４の周りに回動自在に支持されている。具体的には、水平羽根１１は、その根元１１ｆ近傍にケーシング２内へ向けて突出した左右一対の取付板１３と、この取付板１３に対して垂直（図１の紙面に垂直）な方向に延びる第１中心軸１４とを一体に有している。第１中心軸１４は、吹出口７内に設けられた支持リング（ケーシング２に固定されている）３１に、周方向にスライドするように嵌合されている。この結果、支持リング３１によって、水平羽根１１は第１中心軸１４の周りに矢印Ａで示すように回動自在に支持されている。この第１中心軸１４は、水平羽根１１の先端１１ｅを大きく振れるように、水平羽根１１の断面の中央部よりも上流側に設定されている。
【００２５】
前面パネル１２は、ケーシング２の下部（吹出口７内）を水平に通る第２中心軸１６の周りに回動自在に支持されている。具体的には、前面パネル１２は、その裏面側下部にケーシング２内へ向けて突出したアーム部材としての左右一対の取付板１５と、この取付板１５に対して垂直（図１の紙面に垂直）な方向に延びる第２中心軸１６とを一体に有している。さらに、取付板１５に連なって前面パネル１２の裏面上部へ補強用のリブ１7が延びている。第２中心軸１６は、ケーシング２内下部に設けられた支持リング（ケーシング２に固定されている）３２に、周方向にスライドするように嵌合されている。この結果、支持リング３２によって、前面パネル１２は第２中心軸１６の周りに矢印Ｂで示すように回動自在に支持されている。この第２中心軸１６は、前面パネル１２の略円弧状の断面の中央部よりも上流側に設定されている。
【００２６】
これらの水平羽根１１、前面パネル１２はそれぞれ第１中心軸１４、第２中心軸１６の周りに、図３に示すように駆動手段としての第１駆動モータ２１、第２駆動モータ２２によって回転される。第１駆動モータ２１、第２駆動モータ２２は、それぞれステッピングモータからなり、水平羽根１１の第１中心軸１４の周りの角度、前面パネル１２の第２中心軸１６の周りの角度がこの空気調和機の運転状態に応じた角度になるように、ＣＰＵ（中央演算処理装置）を備えた制御手段としての制御部２０によって制御される。なお、これらの第１駆動モータ２１、第２駆動モータ２２および制御部２０は、図１中には描かれていないが、いずれもケーシング２内に設けられている。
【００２７】
この空気調和機の室内機１では、制御部２０が第１駆動モータ２１、第２駆動モータ２２を制御することによって、水平羽根１１の第１中心軸１４の周りの角度、前面パネル１２の第２中心軸１６の周りの角度がそれぞれこの空気調和機の運転状態に応じた角度に自動的に設定される。
【００２８】
具体的には、運転停止状態では、図１に関して既に述べたように、前面パネル１２、水平羽根１１はそれぞれ吸込口６、吹出口７を塞ぐ閉位置Ｑ0，Ｐ0に配置される。前面パネル１２、水平羽根１１はそれぞれ吸込口６、吹出口７と対応する形状を有しているので、空気調和機の運転停止時の美観を高めることができる。
【００２９】
また、暖房運転時には、前面パネル１２は運転停止時の閉位置Ｑ0から図１において２０°〜３０°程度左回りに回転された、吸込口６を開く開位置Ｑ1に配置される。水平羽根１１は運転停止時の閉位置Ｐ0から略９０°左回りに回転された、吹出口７を開く開位置Ｐ1に配置される。この状態でクロスフローファン３が回転することによって、室内９０の空気が開かれた吸込口６を通してケーシング２内に入り、熱交換器４のフィンの隙間を通って昇温される。この昇温後の空気はクロスフローファン３、開かれた吹出口７を通して室内９０へ吹き出される。このとき、水平羽根１１が略鉛直下方を向いた位置Ｐ1にあることから、室内９０へ吹き出される空気の向きは下向きとなる。
【００３０】
冷房運転時には、この空気調和機が初期の送風状態を終えて実質的に冷房運転に移行するまでの間、前面パネル１２は運転停止時の閉位置Ｑ0から図１において２０°〜３０°程度左回りに回転された開位置Ｑ1に一旦配置される。続いて、この空気調和機が実質的に冷房運転に移行すると、前面パネル１２は開位置Ｑ1からさらに６０°程度左回りに回転された、吹出口７に対応する開位置Ｑ2に配置される。一方、水平羽根１１は運転停止時の閉位置Ｐ0から６０°程度左回りに回転された、吹出口７を開く開位置Ｐ2に配置される。これにより、前面パネル１２の水平羽根１１に近い側の端部１２ｆと水平羽根１１の先端１１ｅとを接するように配置することによって、吹出口７の前方に、前面パネル１２と水平羽根１１とが連続してなる実質的にサイズが大きい風向調整用の案内部材としてのパネルが構成される。この状態でクロスフローファン３が回転することによって、室内９０の空気が開かれた吸込口６を通してケーシング２内に入り、熱交換器４のフィンの隙間を通って降温される。この降温後の空気はクロスフローファン３、開かれた吹出口７を通して室内９０へ吹き出される。このとき、水平羽根１１に連なる前面パネル１２が水平乃至少し上方を向いた位置Ｑ2にあることから、室内９０へ吹き出される空気の向きは水平乃至少し上向きとなる。このように、冷房運転時には、水平羽根１１だけでなく、吹出口７に対応する位置まで移動され、その位置で所定の姿勢に保持された前面パネル１２によって、吹出口７から室内へ向かって吹き出される空気の向きが調整される。前面パネル１２のサイズは、吹出口７に設けられた水平羽根１１のサイズに比して制限が緩く、ケーシング２の前面側吸込口６のサイズと実質的に同じに設定されている。しかも、前面パネル１２は、略円弧状の断面の中央部よりも上流側に設定された中心軸１６の周りに回動されるので、吹出口７から室内へ向かって吹き出される空気の流れを大きく振ることができる。したがって、運転時の風向調整能力を充分に高めることができる。また、室内機１のケーシング２内で発生した騒音が居住者へ直接達するのを有効に防ぐことができる。
【００３１】
なお、この空気調和機の運転停止時には、前面パネル１２、水平羽根１１はそれぞれ吸込口６、吹出口７を塞ぐ閉位置Ｑ0，Ｐ0に戻される。したがって、空気調和機の運転停止時の美観を維持することができる。また、ケーシング２が密閉（ただし、上部２ａを除く。）されるので、ケーシング２内に空気よりも重いガスを充填して行う抗菌、防カビ処理が容易になる。
【００３２】
図２は室内機１の前面パネル１２を変形してなる変形例を示している。この変形例の室内機１Ａは、前面パネル１２Ａが中空の樹脂からなる点で上記室内機１と異なっている。前面パネル１２Ａは、例えば、ＰＳ（ポリスチレン）のシートを表皮とする発泡樹脂で構成される。この前面パネル１２Ａでは、前面パネル１２に比して機械的強度が大きいので、補強用のリブが省略されている。このような前面パネル１２Ａは、公知の押出成形技術によって簡単に作製することができる。この室内機１Ａの残りの構成要素は室内機１のものと同じであり、同一の符号を付して個々の説明を省略する。
【００３３】
この室内機１Ａによれば、室内機１と同じ作用効果を奏することができる。しかも、この空気調和機の室内機１Ａでは、前面パネル１２Ａが中空の樹脂からなるので、軽く構成される。したがって、前面パネル１２Ａをケーシング２の前面側吸込口６を塞ぐ位置と吹出口７に対応する位置との間で移動させるときに、駆動手段の駆動力（第２駆動モータ２２のトルク）が小さくて済む。また、前面パネル１２Ａは中空の樹脂からなるので、前面パネル１２Ａの両面間の断熱性が高いものとなる。したがって、例えば冷房運転時に前面パネル１２Ａが吹出口７に対応する位置Ｑ2に略水平の姿勢で保持されたときに、吹出口７から吹き出された空気によって前面パネル１２Ａの上面１２ｕが冷却されたとしても、前面パネル１２Ａの下面１２ｌに結露が生じることがない。
【００３４】
なお、この実施形態では、前面パネル１２，１２Ａをアーム状の取付板１５を介して第１駆動モータ２１で第１中心軸１６の周りに回動させるものとしたが、これに限られるものではない。前面パネル１２，１２Ａをケーシング２の前面側吸込口６を塞ぐ位置と吹出口７に対応する位置との間で移動させる手段は何であっても良い。
【００３５】
（第２参考例）
図４は本発明の第２参考例の空気調和機の壁掛型の室内機１００の概略断面図である。
【００３６】
上記空気調和機の室内機１００は、図４に示すように、室内側壁面に取り付けられたケーシング１０１と、このケーシング１０１内に配置された逆Ｊ字状の熱交換器１０２と、熱交換器１０２の下流側に配置されたファン１０３とを備えている。上記ケーシング１０１の下部では斜め下方を向いた吹出口１０５が開口しており、その吹出口１０５の上縁部１０１ａは内方側に向かって窪んでいる。上記吹出口１０５から吹き出す空気の風向を調節するために、案内部材としてのメイン水平フラップ１０６と、メイン水平フラップ１０６よりも小さい補助水平フラップ１０７とを吹出口１０５に設けている。この場合、上記メイン水平フラップ１０６が主として風向調節を行う一方、補助水平フラップ１０７はメイン水平フラップ１０６の風向制御を補助する機能を果たす。また、運転停止時には、メイン水平フラップ１０６と補助水平フラップ１０７によって吹出口１０５を全閉する。
【００３７】
上記メイン水平フラップ１０６は、羽根弦長の４分の１の長さの上方側先端部１０６ａが吹出口１０５の上縁部１０１ａに重なるように形成されている。すなわち、上記上方側先端部１０６ａの弦長の長さは、メイン水平フラップ１０６全体の弦長の４分の１の長さである。上記メイン水平フラップ１０６は、その根元近傍にケーシング１０１内へ向けて突出したアーム部材としての少なくとも左右一対の取付板１１６と、この取付板１１６に対して垂直（図２の紙面に垂直）な方向に延びる前方側シャフト１１０とを一体に有している。前方側シャフト１１０は、ドレンパン１１２下側の前方側フラップ支持板１０８の下端部に回動自在に支持されている。また、上記メイン水平フラップ１０６は、このようにドレンパン１１２下側の前方側フラップ支持板１０８の下端部に支持されて、吹出口１０５の上側領域に対応する領域に大部分が位置している。また、上記メイン水平フラップ１０６は、図示しないモータの回転駆動力を前方側シャフト１１０を介して受けることにより、前方側シャフト１１０を中心に正逆方向に回動する。そして、上記メイン水平フラップ１０６を冷房運転を行う位置Ｐ１まで回動させたときに、上方側先端部１０６ａが斜め上方を向くように、メイン水平フラップ１０６を湾曲させている。
【００３８】
一方、上記補助水平フラップ１０７は、ケーシング１０１内へ向けて突出したアーム部材としての少なくとも左右一対の取付板１１７と、この取付板１１７に対して垂直（図２の紙面に垂直）な方向に延びる後方側シャフト１１１とを一体に有している。後方側シャフト１１１は、ドレンパン１１２下側の後方側フラップ支持板１０９の下端部に回動自在に支持されている。上記補助水平フラップ１０７は、このようにドレンパン１１２下側の後方側フラップ支持板１０９の下端部に支持されて、吹出口１０５の下側領域に対応する領域に位置している。また、上記補助水平フラップ１０７は、図示しないモータの回転駆動力を後方側シャフト１１１を介して受けることにより、後方側シャフト１１１を中心に正逆方向に回動する。
【００３９】
図５に、上記空気調和機の室内機１００の正面図を示す。図５は運転停止の状態であって、メイン水平フラップ１０６と補助水平フラップ１０７とが吹出口１０５を塞ぐ状態、つまり全閉状態を示している。
【００４０】
上記メイン水平フラップ１０６は、図５に示すように、長板形状をしている。そして、上記メイン水平フラップ１０６の上方側先端部１０６ａでは、長手方向の両端部１１３,１１４に面取りが施されている。
【００４１】
上記構成の空気調和機の室内機１００によれば、冷房運転時には、メイン水平フラップ１０６,補助水平フラップ１０７を２点鎖線の位置Ｐ１,Ｐ１１まで回動させて、吹出口１０５から冷気を室内に供給する一方、暖房運転時には、メイン水平フラップ１０６,補助水平フラップ１０７を２点鎖線の位置Ｐ２,Ｐ２２にまで回動させて、吹出口１０５から暖気を室内に供給する。
【００４２】
図６に、上記空気調和機の室内機１００の冷房運転時における風向の解析結果を模式的に示している。図６から明らかなように、メイン水平フラップ１０６と補助水平フラップ１０７を位置Ｐ１,Ｐ１１に位置させることにより、吹出口１０５から斜め上方に向かって冷気が吹き出している。図７には、このときの吹出口１０５周辺の温度分布の状態を模式的に示している。図７に示すように、上記メイン水平フラップ１０６,補助水平フラップ１０７で吹き出し冷気を斜め上方へ案内することにより、吹出口１０５の冷気と同温の温度領域Ｔが斜め上方に向かって延びている。
【００４３】
このように、上記メイン水平フラップ１０６と補助水平フラップ１０７を有しているから、従来では実現できなかった斜め上方への風向制御を行うことができる。すなわち、上記メイン水平フラップ１０６において羽根弦長の４分の１の長さの上方側先端部１０６ａが運転停止時に吹出口１０５の上縁部１０１ａに重なるように、メイン水平フラップ１０６を形成しているので、メイン水平フラップ１０６と補助水平フラップ１０７による風向調節能力が従来に比べて向上しているのである。
【００４４】
また、冷房運転時、上記メイン水平フラップ１０６,補助水平フラップ１０７を２点鎖線の位置Ｐ１,Ｐ１１に位置させたときに、メイン水平フラップ１０６の上方側先端部１０６ａが上方を向いているので、吹出口１０５から吹き出す冷気を斜め上方へ確実に案内することができる。
【００４５】
また、上記吹出口１０５から吹き出した冷気が斜め上方に向かって流れることによって、吹き出された冷気が室内を循環しやすくなり、室内において人がドラフト感を感じないようにすることが可能である。本発明者は、熱負荷安定時においては、いわゆる完全ドラフトレス気流を実現できることを確認している。
【００４６】
そして、上記メイン水平フラップ１０６と補助水平フラップ１０７による風向調節能力が従来に比べて向上しているので、暖房運転時には、吹出口１０５から暖気を下方に向けて確実に吹き出させることができる。
【００４７】
ところで、冷房運転時には、吹出口１０５側に引き込まれた暖かい室内空気がメイン水平フラップ１０６の上方側先端部１０６ａに接触して、その上方側先端部１０６ａに結露を生じる恐れがある。しかし、上記吹出口１０５側に室内空気が暖かい引き込まれても、メイン水平フラップ１０６の上方側先端部１０６ａにおける長手方向の両端部１１３,１１４が面取りされているから、吹出口１０５側に引き込まれた室内空気が接触する箇所はない。したがって、上記メイン水平フラップ１０６の上方側先端部１０６ａにおける結露を防止することができる。
【００４８】
一方、冷房運転または暖房運転が終了すると、メイン水平フラップ１０６, 補助水平フラップ１０７を回動させて、メイン水平フラップ１０６,補助水平フラップ１０７で吹出口１０５を全閉する。このとき、上記メイン水平フラップ１０６の外面と補助水平フラップ１０７の外面とを滑らかに連ならせると共に、補助水平フラップ１０７の外面とケーシング１０１の外方側底面とを滑らかに連ならせる。これにより、運転停止時において、外観を美しくすることができる。
【００４９】
また、上記メイン水平フラップ１０６の上方側先端部１０６ａにおける長手方向の両端部１１３,１１４に面取りを施しているが、メイン水平フラップ１０６のほんの一部の面取りであるから、その面取りにより美観が損なわれることもない。
【００５０】
なお、この参考例では、上記メイン水平フラップ１０６において羽根弦長の４分の１の長さの上方側先端部１０６ａが吹出口１０５の上縁部１０１ａに重なるように、メイン水平フラップ１０６を形成していたが、メイン水平フラップにおいて羽根弦長の少なくとも４分の１の長さの上方側先端部が吹出口の上縁部に重なるように、メイン水平フラップ１０６を形成してもよい。
【００５１】
（第３の参考例）
図８（ａ），（ｂ）はこの発明の第３参考例の空気調和機の壁掛型室内機２０１を斜め上方から見たところを模式的に示している。同図（ａ）は運転停止状態または暖房運転時、同図（ｂ）は冷房運転時の状態を表している。
【００５２】
図８（ａ）に示すように、この室内機２０１は、ケーシング２０２の下部に水平方向に細長く延びる吹出口２０７を備えている。
【００５３】
ケーシング２０２の上面、前面には、図示を省略しているが、それぞれ室内空気を吸い込むための上面グリル、吸込口が設けられている。ケーシング２０２の下面、後部は、それぞれ底板、背板によって閉じられている。
【００５４】
吹出口２０７には、この吹出口２０７から室内へ向かって吹き出される空気の向きを調整するために、水平方向に細長く延びる平板状の水平羽根２０６が設けられている。この水平羽根２０６は、この水平羽根２０６の断面内を通る中心軸（図示せず）の周りに回動可能に、ケーシング２０２（の吹出口２０７の両端相当部分）によって支持されている。水平羽根２０６の先端部の向きは、鉛直下方と水平方向との間で手動で可変して設定されるようになっている。
【００５５】
ケーシング２０２の左右側面にそれぞれ形成された凹溝２１６に、矩形状の断面を持つスライドロッド２１５が鉛直方向にスライド可能に嵌合されている。そして、この左右一対のスライドロッド２１５，２１５の下端に、風向調整のための平板状の補助パネル２１２が取り付けられている。図８（ａ）の状態では、補助パネル２１２はケーシング２０２の下面に添って配置されている（この位置を待機位置Ｐ200と呼ぶ。）。この補助パネル２１２の面方向のサイズは、ケーシング２０２の下面のサイズと略一致している。
【００５６】
スライドロッド２１５，２１５が凹溝２１６に沿って鉛直方向にスライドすることによって、補助パネル２１２は、図８（ａ）中に示す待機位置Ｐ200とその鉛直下方の中間位置Ｐ201（図８（ｂ）中に破線で示す。）との間で平行移動され得る。
【００５７】
また、補助パネル２１２は、スライドロッド２１５，２１５の下端に、補助パネル２１２の断面内を通る中心軸（図示せず）の周りに回動可能に取り付けられている。この例では、補助パネル２１２は、図８（ｂ）中に破線で示す中間位置Ｐ201と実線で示す案内位置Ｐ202との間で回動されるようになっている。この案内位置Ｐ202は、補助パネル２１２が吹出口２０７と対向し、補助パネル２１２の先端部が斜め上方を向く位置である。
【００５８】
この空気調和機が運転停止状態にあるときは、図８（ａ）に示すように、補助パネル２１２は待機位置Ｐ200に置かれる。この補助パネル２１２の面方向のサイズはケーシング２０２の下面のサイズと略一致しているので、補助パネル２１２のせいで美観が損なわれることはない。
【００５９】
この空気調和機の冷房運転時には、居住者の好みにより、図８（ａ）中に矢印Ｂ１で示すように補助パネル２１２が鉛直下方の中間位置Ｐ201まで手動で平行移動され、続いて図８（ｂ）中に矢印Ｂ２で示すように、補助パネル２１２が中心軸（スライドロッド２１５，２１５の下端のところの）の周りに案内位置Ｐ202まで手動で回転移動される。この案内位置Ｐ202に置かれた補助パネル２１２は、風向調整のための案内部材として働いて、上記吹出口２０７から室内へ向かって吹き出される空気を斜め上方へ向ける。したがって、冷房運転時に、冷気が居住者に直接当たるのを防止できる。
【００６０】
なお、ステッピングモータなどの駆動手段を設けることによって、補助パネル２１２の待機位置Ｐ200と中間位置Ｐ201との間の平行移動や、補助パネル２１２の中間位置Ｐ201と案内位置Ｐ202との間の回転移動を自動で行うようにしても良い。その場合は、この種の空気調和機に通常付属しているリモートコントローラを用いて、居住者が補助パネル２１２の位置の切り替えを指示すれば良い。
【００６１】
なお、吹出口以外の箇所に設ける案内部材を採用すれば、空気調和機の利用者が必要なときに案内部材を取り付けるようにすることも容易である。
【００６２】
【発明の効果】
以上より明らかなように、請求項１乃至５の空気調和機の室内機によれば、空気を斜め上方へ吹き出すことができる。したがって、冷房運転時に、冷気が居住者に直接当たるのを防止できる。
【００６３】
また、運転停止時の美観を維持しながら、運転時の風向調整能力を高めることができる。
【図面の簡単な説明】
【図１】  この発明の第１実施形態の空気調和機の室内機の縦断面を示す図である。
【図２】  図１の室内機の変形例を示す図である。
【図３】  図１の室内機における水平羽根と前面パネルの駆動系を示すブロック図である。
【図４】  この発明の第２参考例の空気調和機の室内機の概略断面図である。
【図５】  図４の空気調和機の室内機の正面図である。
【図６】  図４の空気調和機の室内機の吹出口から吹き出す空気の風向の解析結果を示す模式図である。
【図７】  図４の空気調和機の室内機における吹出口周辺の温度分布の模式図である。
【図８】  この発明の第３参考例の空気調和機の室内機を説明する概略斜視図である。
【符号の説明】
１，１Ａ  室内機
２  ケーシング
３  クロスフローファン
４  熱交換器
１１  水平羽根
１２，１２Ａ  前面パネル
１００  室内機
１０１    ケーシング
１０１ａ  上縁部
１０３    ファン
１０５    吹出口
１０６    水平フラップ
１０６ａ  上方側先端部
１０７    補助水平フラップ
２０１  室内機
２０２  ケーシング
２０６  水平羽根
２０７  吹出口
２１２  補助パネル
２１５  スライドロッド
【図１】
0003669322.tif 000002
【図２】
0003669322.tif 000003
【図３】
0003669322.tif 000004
【図４】
0003669322.tif 000005
【図５】
0003669322.tif 000006
【図６】
0003669322.tif 000007
【図７】
0003669322.tif 000008
【図８】
0003669322.tif 000009